(57)【要約】      （修正有）【課題】線材の遮蔽改良構造を提供する。【解決手段】主に線材を長距離で信号を伝送する際、静電容量が増えるのを避ける線材構造であり、該線材は、複数の高周波映像ケーブル、音声ケーブル及び接地線など、信号ケーブルが集結して束状を構成する。複数の信号ケーブルの構成する束を同心軸として順にアルミ層６、生地層７及び絶縁層８を包み、アルミ層６と束４の間に、遮蔽層５を包むことで、線材が信号伝送をする際、遮蔽層５を介し、線材の静電容量を下げることで、線材の信号伝送するのを影響妨害せず、線材が長距離(２０メートル以上)でも安定して信号を伝送する目的に達する。【選択図】図１
0003145846.tif 000002
【実用新案登録請求の範囲】
【請求項１】
高周波ケーブル、低周波ケーブル及び接地線を含み、
線材の信号を伝送時の静電容量が増加するのを防止する線材構造であり、該線材は複数の高周波ケーブル、低周波ケーブル及び接地線などの信号ケーブルを集結して構成し、複数の信号ケーブルが構成する束を同心軸としてアルミ層、生地層及び絶縁層を包み、
該束とアルミ層の間に静電容量を下げる遮蔽層を設置することを特徴とする線材の遮蔽改良構造。
【請求項２】
前記遮蔽層はマイラー(Mylar、ポリエステルフィルムPET)、綿質紙で作られることを特徴とする請求項1記載の線材の遮蔽改良構造。
【考案の詳細な説明】
【技術分野】
【０００１】
本考案は線材の遮蔽改良構造に関し、特に線材が長距離(20メートル以上)で信号伝送する際に、静電容量が上昇するのを避けるようコントロールし、遮蔽構造を増やし、線材に良好な遮蔽を提供することで、安定したオーディオ信号を送る線材の遮蔽改良構造に関する。
【背景技術】
【０００２】
テクノロジーの時代となり、人類の生活スタイルが変わっただけでなく、多くのハイテクノロジーの製品や技術が、人々の衣食住交通娯楽など、様々なシーンでのニーズを満たしている。オーディオ製品では、早期のテープからCDディスク、VCD、LD、DVDへと進化してきた。これらの映像を再生するために、様々なプレイヤーも製造された。また、プレイヤーが映像を再生する際、信号伝送ケーブルにより、ディスプレイやスピーカーにその映像と音声を送る。信号伝送ケーブルは映像ケーブルや音声ケーブル、接地線など、異なる機能のケーブルが全て集結して束状になっている。各ケーブル間での妨害や影響を防止するよう、集結しているケーブル束を同心軸としてアルミ層、生地層、最後に絶縁層を包む。しかし、線材内部に様々な異なる伝送信号のケーブルが集結し、一部のケーブル内部に高周波オーディオ信号のケーブルを具有するため、線材の長さが長くなると、内部のケーブルも静電容量が増加する状況が生じる。線材の延伸距離が長ければ長いほど、静電容量が大きくなり、直接線材が映像、オーディオ信号を送る際の安定度に影響或いは妨害を加える。長距離の映像伝送効果が悪く、映像も不安定であるため、容易に外部の信号に妨害されるのを鑑みて、上述の技術を改善する必要があった。
【特許文献１】特許公表２００２−５２６９３７号公報
【考案の開示】
【考案が解決しようとする課題】
【０００３】
前記従来構造の欠点を解決するため、本考案は線材が長距離(20メートル以上)であっても、安定して信号を伝送する目的に達する線材の遮蔽改良構造を提供することを主な課題とする。
【課題を解決するための手段】
【０００４】
前記課題を解決するために、本考案は線材を複数の高周波映像ケーブル、音声ケーブル及び接地線などのケーブルを集結し束状に構成する。束を同心軸として順にアルミ層、生地層及び絶縁層を包み、束とアルミ層の間に遮蔽層を包み、線材が信号伝送を行なうとき、遮蔽層が線材の静電容量を下げることで、線材の信号伝送に影響、妨害がなくなり、線材が長距離(20メートル以上)であっても、安定して信号を伝送する目的に達する線材の遮蔽改良構造を提供する。
本考案は以下の特徴を有する。
（１）高周波ケーブル、低周波ケーブル及び接地線を含み、
線材の信号を伝送時の静電容量が増加するのを防止する線材構造であり、該線材は複数の高周波ケーブル、低周波ケーブル及び接地線などの信号ケーブルを集結して構成し、複数の信号ケーブルが構成する束を同心軸としてアルミ層、生地層及び絶縁層を包み、
該束とアルミ層の間に静電容量を下げる遮蔽層を設置することを特徴とする線材の遮蔽改良構造。
（２）前記遮蔽層はマイラー(Mylar、ポリエステルフィルムPET)、綿質紙で作られることを特徴とする（１）記載の線材の遮蔽改良構造。
【考案の効果】
【０００５】
本考案は遮蔽層を設置することにより、線材の使用する長さを延長しても、静電容量が増えることなく、安定した信号を伝送することができる。
【考案を実施するための最良の形態】
【０００６】
本考案による線材の遮蔽改良構造の構造を明確に示すために図に沿って詳細な説明を行う。
【０００７】
図1、図2及び図3に示すのは、本考案の立体外観図、平面図、最良実施例の立体外観図である。本考案の線材は複数の高周波伝送ケーブル1、低周波伝送ケーブル2及び接地線3で組成する。該複数の高周波伝送ケーブル1、低周波伝送ケーブル2、接地線3を集結して束4状にし、異なる色で識別をしているため、束4内部の各ケーブルを素早く識別することができる。束4を同心軸として順に遮蔽層5、アルミ層6、次に生地層7、絶縁層8を包んで線材9の成型作業を完成する。
【０００８】
前記高周波ケーブル1は、主に高周波映像を伝送する機能を持つ。遮蔽層5(透明のマイラーはポリエステルのPET材質で形成する)は、薄く軽いものであり、束4外部に包むことで、良好な遮蔽効果を形成する。線材9に剥離する作業を行なう場合、素早く絶縁層8、生地層7、アルミ層6を切除する。更に遮蔽層5を剥離することで、束4内部にある各ケーブルを取り出し、それぞれの異なる性質に基づき、コネクター91の各端子911に溶接し、コネクター91を通じて、各ケーブルの信号を各プレイヤーに送り、映像音声信号の伝送と再生を行なう。
【０００９】
該遮蔽層5は透明状のマイラー(Mylar ポリエステルフィルムPET)、或いは綿質の紙で作られ、束4とアルミ層6の間に設置する。
【００１０】
線材9の使用長さを延長する必要がある場合(20メートル以上)、内部の遮蔽層5の形成する良好な遮蔽効果を介し、長距離の使用でも線材9の静電容量が増えることなく、複数の高周波ケーブル1、低周波ケーブル2の送る信号を防止妨害せず、安定したオーディオ音声信号を送ることができる。線材9の長さを延長しても、映像が不安定になることがない。
【００１１】
以上の実施例による本考案の詳細な説明は本考案の範囲を制限するものではない。本考案の線材9が複数の高周波ケーブル1、低周波ケーブル2、接地線3などが集結して束4を形成し、束4を同心軸として順に遮蔽層5、アルミ層6、生地層7及び絶縁層8を包むことで、遮蔽作用を具有する線材9を構成し、線材9の使用する長さを延長(20メートル以上)しても、静電容量が増えない。また、遮蔽層5に薄く軽い材質を利用していることで、線材9の重さが増えず、剥離しにくい。本技術に熟知する者が、本考案の範囲内にて行う変更や調整を行っても、本考案の重要な意義は失われず、本考案の範囲に含まれる。
【００１２】
本考案線材の遮蔽改良構造を使用する際、下記のメリットを具有する：
【００１３】
(一) 線材9の内部は複数の高周波ケーブル1、低周波ケーブル2、接地線3が集結して束４を形成し、束4に遮蔽層5を包むことで、線材9の使用する長さを延長しても、静電容量が増えず、線材9のオーディオ音声信号の伝送に影響を及ぼさない。
【００１４】
(二)  線材9にある遮蔽層5は薄く軽く、剥がしやすいため、線材9の施工時に、様々なケーブルを取り出し、素早く区分けして溶接作業がしやすい。
【００１５】
(三)  線材9の遮蔽層5の形成する遮蔽作用を介し、各ケーブルの信号を伝送する時に生じる妨害を避けることができ、安定した信号を送ることができる。
【００１６】
本考案は主に線材内部の複数の高周波ケーブル、低周波ケーブル及び接地線を集結して束を結成し、束の外部に遮蔽層(マイラー)で遮蔽を形成することで、線材をはがしやすい。線材の使用する長さを延長しても、有効的に静電容量が増えるのを避けることが、プロテクトのポイントである。線材内部の束に遮蔽層を形成し、各ケーブルが更に安定した信号を伝送することができる。以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００１７】
【図１】本考案の立体外観図である。
【図２】本考案の平面図である。
【図３】本考案の最良実施例の立体外観図である。
【符号の説明】
【００１８】
1.  高周波ケーブル
2.  低周波ケーブル
3.  接地線
4.  束
5.  遮蔽層
6.  アルミ層
7.  生地層
8.  絶縁層
9.  線材
91  コネクター
911  端子
【図１】
0003145846.tif 000003
【図２】
0003145846.tif 000004
【図３】
0003145846.tif 000005